(57)【特許請求の範囲】
【請求項１】
ロールペーパーを収容する容器部と、
前記容器部のロールペーパー導出部近傍に，このロールペーパー導出部を覆うように第１の軸に軸支されるペーパー切断機構とを有し、
前記ペーパー切断機構は、前記第１の軸に傾動可能に枢設される支持板と、この支持板の下端部に第１の枢軸を介し，前記容器部側に一部重複する部分を備えて傾動可能に前記支持板に連結される傾動板とを備え、
前記容器部は、前記ロールペーパー導出部の下方近傍に，前記傾動板の上端部を掛止可能に形成されるストッパーを備え、
前記ロールペーパーは、前記容器部の前記ロールペーパー導出部を経て，前記容器部の外側面と前記ペーパー切断機構の間を通過するように導出され、
前記ロールペーパーの鉛直斜め上方への引き上げに伴い，前記支持板が，前記第１の軸を基軸に傾動すると共に，前記傾動板は，前記第１の枢軸を基軸に傾動して前記傾動板の前記一部重複する部分に存在する上端部が前記ストッパーに係止され，前記傾動板の上端部と前記ストッパーによって前記ロールペーパーが挟持されて前記ロールペーパーの送出しが停止され、
前記ロールペーパーが，前記傾動板の下端部で切断された後に、前記支持板及び前記傾動板が自重によって前記ロールペーパー導出部を覆うように復帰することで、切断後の前記ロールペーパーの端部に摘み代を形成させ、
前記容器部は、前記ロールペーパー導出部を備える前方容器部と、この前方容器部の底において第２の枢軸を介して枢設される後方容器部とからなり、
前記前方容器部は、第２の軸に軸支される係止部と係合し、
前記後方容器と前記係止部とはアームロッドを介して連結され、
前記第１の軸は、その端部に前記軸を基軸に回動して前記アームロッドを押下げる押下げアームを備え、
前記ペーパー切断機構を，前記第１の軸を基軸に鉛直上方に傾動させることで前記押下げアームが傾動して前記アームロッドが押下げられ、
このアームロッドの押下げ動作に伴い，前記係止部と前記前方容器部との係合が解除されて、前記前方容器部が自重により前記第２の枢軸を基軸に傾動して開動作することを特徴とするロールペーパーホルダ。
【請求項２】
前記押下げアームの前記第１の軸に固定されない側の端部は、移動ローラを備え、
前記移動ローラは、前記アームロッド上を回転しながら移動することを特徴とする請求項１記載のロールペーパーホルダ。
【発明の詳細な説明】
【技術分野】
【０００１】
本発明は、ロールペーパーホルダに関し、特にロールペーパーを切断した後に、確実にロールペーパーの端部に摘み代を形成させることができるロールペーパーホルダに関する。
【背景技術】
【０００２】
従来、ロールペーパーホルダは、主にロールペーパーの軸を貫通して支える軸と、この軸の両端を支持する腕部と、ほこり除けを兼ねた蓋状のペーパー切断部からなるものがロールペーパーホルダとして一般に流通している。
ところが、このような普及品のロールペーパーホルダはシンプルで安価な反面、ロールペーパーの一部がむき出しになっているために、ほこりが付き易く不衛生であり、しかも、所望量のロールペーパーを引き出した後に切断する際に、その作業を片手で行うことができず、一方の手でペーパー切断部をその上面側から押さえつけて、他方の手でロールペーパーを引きちぎる必要があり不便であるという課題があった。
また、ロールペーパーを引きちぎった後、次にロールペーパーを引き出す際の摘まみ代がないために、ロールペーパーを新たに引き出す際には、ロールペーパーの端部を送り出してやる必要があり、その作業も煩わしかった。
さらに、勢い余ってロールペーパーを引出しすぎることによる無駄使いが多く、不経済であるという課題もあった。
上述のような課題に対処するためロールペーパーに関する発明や考案がいくつか開示されている。
【０００３】
特許文献１には「巻紙容器」という名称で、紙切断機能を有する壁懸式の巻紙容器に関する発明が開示されている。
特許文献１に開示される巻紙容器は、台板に設置した承匣の上片には、蝶番式に開閉し得る天蓋を設けると共に、該承匣の下方は、自由に開口し、その開口部内には、斜状なる底辺を有する案内板を設け、而して、該案内板の底辺部と承匣下辺狭搾部とが形成する底部乃至は、該承匣内に、任意の巻紙を軸架装嵌することなく、自由な状態で、収容し、更に、前記開口部内には、その上端を枢止垂下した刃物と平行して、その下端部が、稍前記刃物の下端部よりも突出せしめたところの保護板の中間部より少し上方を、刃物の枢点よりは相当下方へ枢止せしめて成ることを特徴とするものである。
上述の特許文献１に開示される巻紙容器によれば、巻紙を切断した後、保護板１４の復帰によって垂下し、巻紙の端部は保護板１４により押し下げられた分だけ余剰に鉛直下方に垂れ下がるので、次回の巻紙の端部の摘まみだしと引出しを容易にすることができる。
【０００４】
特許文献２には「トイレットペーパーホルダ」という名称で、トイレットペーパーホルダに関する考案が開示されている。
特許文献２に開示される考案は、ペーパーを挟んで支持部材と移動可能なカッター部材を設け、カッター部材を移動したときカッター部材のカッター部と異なる端部と、支持部材とでペーパーを挟持できるような形状にカッター部材を形成したことを特徴とするものである。
上記構成の特許文献２に開示される考案によれば、ペーパーを切断する際に、ペーパーがカッター部材のカッター部と異なる端部と支持部材とにより挟持されて動かない状態で切断することができるので、片手でもって容易に所定の個所でペーパーを切断することができるという効果を有する。
【先行技術文献】
【特許文献】
【０００５】
【特許文献１】特公昭３５−１９９２号公報
【特許文献２】実開平３−３９４８９号公報
【発明の概要】
【発明が解決しようとする課題】
【０００６】
特許文献１に開示される発明の場合、特許文献１中の図１，２に示すように、巻紙容器内に、刃物１２及び保護板１４の作動空間を確保する必要があり、巻紙容器が鉛直方向に縦長になり大型化して好ましくないという課題があった。
また、特許文献１に開示される巻紙容器に巻紙をセットする際に、巻き癖がついてカールした巻紙の端部を、保護板１４と案内板９の間を通過させなければならず、しかも、この作業を直接目視できない位置において行わなくてはならないので極めて煩雑であった。
さらに、特許文献１に開示される紙巻容器では、巻紙の切断時に、保護板１４の端部に巻紙が係止されるだけなので、巻紙の引き上げ角度によっては上手く巻紙を切断することができず、不必要な巻紙を引き出してしまう場合もあり好ましくなかった。
【０００７】
特許文献２に開示される考案の場合、ロールペーパーをセットする際に、支持材７とカッター部材の間に、巻き癖が付いてカールしたペーパーの端部を挿通させなければならず煩雑であった。
【０００８】
本発明はかかる従来の事情に対処してなされたものでありその目的は、ロールペーパーの片手による切断を可能にするとともに、ロールペーパーを切断する度に適度な長さの摘まみ代を形成することができ、かつ、コンパクトでロールペーパーの装着が容易なロールペーパーホルダを提供することにある。
【課題を解決するための手段】
【０００９】
上記目的を達成するため請求項１記載の発明であるロールペーパーホルダは、ロールペーパーを収容する容器部と、容器部のロールペーパー導出部近傍に，このロールペーパー導出部を覆うように第１の軸に軸支されるペーパー切断機構とを有し、ペーパー切断機構は、第１の軸に傾動可能に枢設される支持板と、この支持板の下端部に第１の枢軸を介し，容器部側に一部重複する部分を備えて傾動可能に支持板に連結される傾動板とを備え、容器部は、ロールペーパー導出部の下方近傍に，傾動板の上端部を掛止可能に形成されるストッパーを備え、ロールペーパーは、容器部のロールペーパー導出部を経て，容器部の外側面とペーパー切断機構の間を通過するように導出され、ロールペーパーの鉛直斜め上方への引き上げに伴い，支持板が，第１の軸を基軸に傾動すると共に，傾動板は，第１の枢軸を基軸に傾動して傾動板の一部重複する部分に存在する上端部がストッパーに係止され，傾動板の上端部とストッパーによってロールペーパーが挟持されてロールペーパーの送出しが停止され、ロールペーパーが，傾動板の下端部で切断された後に、支持板及び傾動板が自重によってロールペーパー導出部を覆うように復帰することで、切断後のロールペーパーの端部に摘み代を形成させ、容器部は、ロールペーパー導出部を備える前方容器部と、この前方容器部の底において第２の枢軸を介して枢設される後方容器部とからなり、前方容器部は、第２の軸に軸支される係止部と係合し、後方容器と係止部とはアームロッドを介して連結され、第１の軸は、その端部に軸を基軸に回動してアームロッドを押下げる押下げアームを備え、ペーパー切断機構を，第１の軸を基軸に鉛直上方に傾動させることで押下げアームが傾動してアームロッドが押下げられ、このアームロッドの押下げ動作に伴い，係止部と前方容器部との係合が解除されて、前方容器部が自重により第２の枢軸を基軸に傾動して開動作することを特徴とするものである。
上記構成の発明において、前方容器部と後方容器部からなる容器部はロールペーパーをその中空部内に収容して保持するという作用を有する。また、ペーパー切断機構は、容器部から導出されたロールペーパーを、切断するとともに，その端部に適切な長さの摘まみ代を形成させるという作用を有する。
また、第１の軸は、ペーパー切断機構を構成する支持板を，第１の軸基軸に回動可能に支持するという作用を有する。さらに、第１の枢軸は、支持板の下端部において、傾動板を第１の枢軸を基軸に傾動可能に軸支するという作用を有する。
そして、容器部のロールペーパー導出部の下方近傍に設けられるストッパーは、傾動板が傾動した際に、その上端部側を受け止め、その際、ストッパーと傾動板の上端部によりロールペーパーを挟持してその引出しを停止させるという作用を有する。また、傾動板は、上述のようにストッパーと協同してロールペーパーの引出しを停止するとともに、その下端部においてロールペーパーを切断するという作用を有する。
つまり、請求項１記載の発明では、ロールペーパーの切断を行うペーパー切断機構が、支持板と傾動板の２つの部材により構成され、支持板に第１の枢軸を介して傾動板が接続されているので、ロールペーパーを引き出した際に、引き出されたロールペーパーの上面で傾動板が押し上げられて容器部側に傾動板が傾動するとともに、この傾動板はストッパーに引っかかってその傾動を停止する。この時、ロールペーパーは、ロールペーパー導出部から容器部の側面を経由してストッパーに到達し、さらに、ストッパーから傾動板の平面部を伝って切断部である傾動板の下端部に到達する。この場合、傾動板が全く傾動しない場合に比べてロールペーパーがやや長く引き出される。
また、第１の枢軸を基軸に傾動した傾動板と，ストッパーによりロールペーパーの引出し片が挟持されてその引出しが停止されて、この状態でロールペーパーが切断される。つまり、請求項１記載の発明では、引き出したロールペーパーを「係止」ではなく「挟持」により確実に引出し動作を停止して保定するという作用を有する。
その後、自重により傾動板及び支持板が復帰することで、支持板と傾動板の傾動状態はともに解除され、傾動板が傾動した際にやや多めに引き出されたロールペーパーが摘まみ代を形成する。
よって、請求項１記載の発明は、ロールペーパーを切断する際に、不必要にロールペーパーが引き出されるのを抑制するとともに、切断後に適切な長さの摘まみ代を確実に形成させるという作用を有する。
また、第２の枢軸は、後方容器部の底において前方容器部を傾動可能に支持するという作用を有する。
また、第２の軸は、係止部を第２の軸を基軸に傾動可能に支持するという作用を有する。そして、この係合部は、前方容器部と係合することで、第２の容器部を係止してその傾動を妨げるという作用を有する。さらに、アームロッドは、後方容器部と係止部を間接的に連結するという作用を有する。
また、第１の端部に設けられる押下げアームは、ペーパー切断機構の傾動に伴って傾動して、アームロッドの端部を鉛直下方に押し下げるという作用を有する。
他方、後方容器部と，アームロッドと，第２の軸と、係止部は、この順番でつながっているので、アームロッドの端部が押下げアームにより押下げられることで、第２の軸が回動し、第２の軸の回動に伴って係止部が傾動し、係止部の傾動により係止部と前方容器部の係止構造が解除される。この結果、前方容器部が自重により第２の枢軸を基軸に傾動して、前方容器部と後方容器部からなる容器部内にロールペーパーをセット可能にするという作用を有する。
【００１１】
請求項２記載の発明であるロールペーパーホルダは、請求項１に記載のロールペーパーホルダであって、押下げアームの第１の軸に固定されない側の端部は、移動ローラを備え、移動ローラは、アームロッド上を回転しながら移動することを特徴とするものである。
上記構成の発明は、請求項１記載の発明と同じ作用に加えて、押下げアームの第２の軸に固定されない側の端部に設けられる移動ローラは、回転しながらアームロッド上を移動するという作用を有する。
これにより、押下げアームによるアームロッドの押下げ動作をスムースにするという作用を有する。
【発明の効果】
【００１２】
本発明の請求項１記載のロールペーパーホルダによれば、ロールペーパーホルダ自体をコンパクトにしながら、ロールペーパーを切断する毎に、適切な長さの摘まみ代を形成させることができる。
この場合、ロールペーパーの引出し作業を行う度に、ロールペーパーに手を触れてその巻き取り軸方向に回転させて，ロールペーパーの端部を探す必要がなくなる。この結果、所望量のロールペーパーを取り出す作業を迅速に行うことができるとともに、未使用のロールペーパーを衛生的に保つことができる。
また、ロールペーパーの引出し片を片手で切断することができる。
さらに、請求項１記載の発明においては、ロールペーパーの切断する際に、容器部に設けられるストッパーと、傾動板の上端部で、ロールペーパーをしっかりと挟持して保定することができるので、切断時に不必要なロールペーパーを意図せず引き出してしまうこともないため、ロールペーパーの無駄使いを防止することもできる。
加えて、ロールペーパーの切断機構を容器部の水平方向に隣接させることができるので、特許文献１や特許文献２に開示される場合に比べて、ロールペーパーホルダの大きさをコンパクトにすることができる。
また、請求項１記載の発明によれば、ロールペーパーを収容する容器部の開閉操作を、第１の軸を基軸にペーパー切断機構を傾動させる操作により行うことができる。この場合、開いた容器部の中空部内にロールペーパーを投入するとともに，その端部近傍をロールペーパー導出部に掛けて，端部を容器部の外に（前方容器部の外に）垂下させ、その後、前方容器部を傾動させて前方容器部と後方容器部が互いに対向するように閉じることで、容器部へのロールペーパーのセットを完了することができる。
この場合、従来技術（特許文献１や特許文献２）の場合のように、作業者が目視できない位置においてロールペーパーの端部をロールペーパーホルダの部品の隙間に挿通させる作業を行う必要がないので、ロールペーパーの装着作用を迅速かつ簡易にすることができる。
【００１４】
請求項２記載の発明は、請求項１記載の発明と同じ効果に加えて、押下げアームによりアームロッドを押下げる際に、移動ローラがアームロッド上を走行するので、アームロッドの押下げ動作をスムースにすることができる。
【図面の簡単な説明】
【００１５】
【図１】本発明の実施例１に係るロールペーパーホルダの概念図である。
【図２】本発明の実施例１に係るロールペーパーホルダの部品図である。
【図３】本発明の実施例１に係るロールペーパーホルダの断面図である。
【図４】本発明の実施例１に係るロールペーパーホルダの作動の様子を示す断面図である。
【図５】本発明の実施例１に係るロールペーパーホルダの作動の様子を示す断面図である。
【図６】本発明の実施例１に係るロールペーパーホルダの作動の様子を示す断面図である。
【図７】本発明の実施例１に係るロールペーパーホルダの作動の様子を示す断面図である。
【図８】本発明の実施例１に係るロールペーパーホルダの作動の様子を示す断面図である。
【図９】本発明の実施例１に係るロールペーパーホルダの作動の様子を示す断面図である。
【図１０】本発明の実施例１に係るロールペーパーホルダの作動の様子を示す断面図である。
【図１１】本発明の実施例２に係るロールペーパーホルダの概念図である。
【発明を実施するための形態】
【００１６】
本発明の実施の形態に係るロールペーパーホルダについて実施例１及び実施例２を参照しながら詳細に説明する。
【実施例１】
【００１７】
本発明の実施例１に係るロールペーパーホルダについて図１乃至図１０を参照しながら詳細に説明する。
まず、実施例１に係るロールペーパーホルダ１Ａの概要について図１乃至図３を参照しながら詳細に説明する。
図１は実施例１に係るロールペーパーホルダの概念図であり，図２は本発明の実施例１に係るロールペーパーホルダの部品図である。また、図３は本発明の実施例１に係るロールペーパーホルダの断面図である。なお、図３は図１中の符号Ａ−Ａ線による矢視断面図である。
図１，２に示すように、実施例１に係るロールペーパーホルダ１Ａは、主にロールペーパー２７を収容するための中空部３を有する前方容器部２ａ，後方容器部２ｂからなる容器部２と、この容器部２のロールペーパー導出部２３を経て容器部２の外に導出されたロールペーパー２７の引出し片を切断するためのペーパー切断機構８により構成されている。
また、実施例１に係るロールペーパーホルダ１Ａにおいて容器部２を構成する前方容器部２ａと後方容器部２ｂは、第２の枢軸４を有するヒンジ５を介して連結されており、前方容器部２ａが第２の枢軸４（ヒンジ５）を介して連結され（後述の図３を参照）、第２の枢軸４を基軸に傾動する構造になっている。そして、前方容器部２ａは自重により傾動して開くので、前方容器部２ａを閉じた状態にしておくために、係止具１１が前方容器部２ａ上に配設され、前方容器部２ａの上端部に形成される係止爪１８と，係止具１１の係止アーム１１ａとを係合させて、前方容器部２ａと後方容器部２ｂとを閉じた状態にしている。
【００１８】
さらに、係止具１１は、係止アーム１１ａにおいてペーパー保定用ローラ１０を保持すると共に、係止具１１の鉛直上方に配設される第２の軸９に固設されて、第２の軸９の回動に伴って係止具１１及び係止アーム１１ａが傾動して、係止アーム１１ａと，前方容器部２ａの係止状態が解除される仕組みになっている。
また、第２の軸９は、容器部２を左右両側面側から挟むように配設される側板６ａ，６ｂに支持されており（図１参照）、第２の軸９は容器部２が配される側板６ａを貫通して側板６ａ上に突出し、側板６ａ上に突出する第２の軸９の端部は、連結部１７を介してアームロッド１３に接続され、連結部１７を介してアームロッド１３からの動力が伝達されて第２の軸９がその周方向に回動する仕組みになっている。
なお、連結部１７は，例えば、動力伝達板１７ａと動力伝達板１７ｂが連結ピン１７ｄにより相互に傾動可能に連結されたものであり、連結部１７の動力伝達板１７ａ側の端部は、アームロッド１３に連結ピン１７ｃを介してやはり相互に傾動可能に取り付けられ、他方、連結部１７の動力伝達板１７ｂ側の端部は側板６ａを貫通して突出する第２の軸９に固設されている。そして、このような構成により、アームロッド１３の傾動に伴って、その動力が連結部１７を介して第２の軸９に伝達され、第２の軸９がその周方向に回動する。
【００１９】
このアームロッド１３は、側板６ａの前方容器部２ａが配設されない側の側面上に回動軸１２を介して回動軸１２を基軸に傾動可能に取り付けられ、さらに、アームロッド１３の一の端部１３ａ（後方容器部２ｂが配置される側の端部）と、側板６ａ上に突設される掛止部３４をつなぐように、例えば、つるまきバネやゴム等からなる弾性体１４が掛着されて、アームロッド１３の一の端部１３ａを鉛直下方側に押し下げるよう付勢している。
この時、側板６ａは後方容器部２ｂの側面にネジや接着剤等により一体に取り付けられているので、アームロッド１３の一の端部１３ａは実質的には後方容器部２ｂに接続されていると言える。
すなわち、実施例１に係るロールペーパーホルダ１Ａにおいては、容器部２を構成する前方容器部２ａと後方容器部２ｂとは、それぞれの底部が第２の枢軸４を介して連結されており（後述の図３を参照）このままでは、前方容器部２ａが自重により傾動して開いてしまい閉じた状態にはならないため、前方容器部２ａの上端において係止爪１８と係合構造を形成する係止具１１（係止アーム１１ａ）を、アームロッド１３を介して間接的に後方容器部２ｂに接続して、前方容器部２ａと後方容器部２ｂと閉じた状態にしている。
【００２０】
また、実施例１に係るロールペーパーホルダ１Ａにおいては、容器部２から導出されるロールペーパー２７の引出し片を切断するためのペーパー切断機構８が、前方容器部２ａのロールペーパー導出部２３側に配置されており、このペーパー切断機構８は、ロールペーパー２７の切断のみでなく、容器部２を構成する前方容器部２ａの開動作させるための構成も備えている。
【００２１】
ここで、図１乃至３を参照しながら、ペーパー切断機構８について詳細に説明する。
実施例１に係るロールペーパーホルダ１Ａのペーパー切断機構８は、平板状で，かつ，ロールペーパー２７の幅よりも大きい支持板１９の上端部側に第１の軸７が直接又は間接的に固設され、支持板１９の下端部には、第１の枢軸２０（ヒンジ２１）を介して第１の枢軸２０を基軸に傾動する傾動板２２を備えたものである。また、支持板１９と傾動板２２とは、これらが垂下した状態で支持板１９と一部重複する部分を備えている。なお、ペーパー切断機構８によりロールペーパー２７の導出片が切断される仕組みについては後述する。
さらに、ペーパー切断機構８の第１の軸７は、前方容器部２ａのロールペーパー導出部２３の近傍に、前方容器部２ａとは非接触に配設される。このとき、第１の軸７は、容器部２の左右側面側に配設される側板６ａ，６ｂにより支持され、第１の軸７の側板６ａ側の端部は、側板６ａを貫通して，側板６ａ上に突出している。
【００２２】
ここで、前方容器部２ａ、後方容器部２ｂ及び側板６ａ，６ｂの関係について説明を加える。
先にも述べたように、前方容器部２ａと後方容器部２ｂとはそれぞれの底部が第２の枢軸４を介して接続され、後方容器部２ｂと側板６ａ，側板６ｂとはネジや接着剤等により一体に固定されている。従って、側板６ａ，６ｂに挟まれる後方容器部２ｂを動かすことはできないが、後方容器部２ｂに第２の枢軸４を介し連結される前方容器部２ａは、側板６ａ，６ｂが存在していても、第２の枢軸４を基軸に傾動させることができる。
なお、本実施の形態においては、後方容器部２ｂと側板６ａ，６ｂを別々の構成として備える場合を例に挙げて説明しているが、容器部２及び側板６ａ，６ｂの形態は、図１乃至１０に記載されるものに限定される必要はなく、後方容器部２ｂの両側面を前方容器部２ａ側にせり出した形態とし、前方容器部２ａをせり出した後方容器部２ｂの両側面の内々寸法よりも小さい幅を有するように構成して、この前方容器部２ａを第２の枢軸４を介して後方容器部２ｂに接続してもよい。この場合、第２の軸９及び第１の軸７は、後方容器部２ｂからせり出した側面で支持されることになる。
【００２３】
再び、ペーパー切断機構８の説明に戻るが、ペーパー切断機構８において側板６ａから突出する第１の軸７の端部には、押下げアーム１６が第１の軸７の外側面に突出しながら固設され、この押下げアーム１６は第１の軸７の回動に伴って傾動する。
つまり、ペーパー切断機構８の支持板１９の傾動に伴って、第１の軸７の端部に設けられる押下げアーム１６が傾動する。
そして、この押下げアーム１６が傾動してアームロッド１３の他の端部１３ｂに接触し、さらに、アームロッド１３の一の端部１３ａに接続される弾性体１４の弾性力に抗って押下げアーム１６を鉛直下方側に向かうように傾動させ続けると、アームロッド１３の他の端部１３ｂが押下げアーム１６により押し下げられる。すなわち、アームロッド１３の他の端部１３ｂが回動軸１２を基軸に鉛直下方側に傾動する。このとき、アームロッド１３に生じる動力が連結部１７を介して第２の軸９に伝達され、第２の軸９が回動し、第２の軸９の回動に伴って係止具１１及び，それと一体の係止アーム１１ａが，第２の軸９を基軸に跳ね上がるように傾動することにより、係止アーム１１ａと前方容器部２ａの係止構造が解除され、前方容器部２ａが自重により第２の枢軸４を基軸に傾動して、前方容器部２ａが開いた状態となる。
なお、前方容器部２ａを開いた状態にする手順については後段において図面を参照しながら詳細に説明する。
【００２４】
再び、押下げアーム１６とアームロッド１３の説明に戻るが、押下げアーム１６の第１の軸７に接続されない側の端部を滑らかな曲面にしておくことで、押下げアーム１６によるアームロッド１３の押下げ動作をスムースにすることができる（図１を参照）。
また、押下げアーム１６が傾動してアームロッド１３に接触した際に、押下げアーム１６を係止させるための凹部１３ｃを形成しておいてもよい（図１を参照）。この凹部１３ｃは、ペーパー切断機構８を用いてロールペーパー２７を切断する際に利用することができる。その詳細については後述する。
さらに、押下げアーム１６の第１の軸７に接続されない側の端部に、移動ローラ１６ａを備えてもよい。この場合、押下げアーム１６によりアームロッド１３の動力伝達板１７ｂを押し下げる際の、押下げアーム１６の移動をスムースにすることができる（図１を参照）。
【００２５】
そして、実施例１に係るロールペーパーホルダ１Ａにおいては、前方容器部２ａのロールペーパー導出部２３の近傍に、ロールペーパー２７を受けて容器部２の外に送り出すための第２のローラ２４を設け、係止具１１の係止アーム１１ａに保持されるペーパー保定用ローラ１０と共に容器部２から導出されるロールペーパー２７を軽く挟持できるよう構成してもよい（図２を参照）。
この場合、ロールペーパー２７の引出し時にペーパー保定用ローラ１０及びロールペーパー２７により負荷がかかるので、不必要なロールペーパー２７の引出しを防止することができる。なお、ペーパー保定用ローラ１０及び第２のローラ２４は必ずしも設けなくともよい。
また、前方容器部２ａの側面上にはロールペーパー導出部２３と平行にストッパー２５が設けられ、ペーパー切断機構８の傾動板２２が第１の枢軸２０を基軸に傾動した際に、傾動板２２の前方容器部２ａをストッパー２５で受けて係止させる構造になっている（図２を参照）。なお、このストッパー２５にクッション材２６を設けてもよい。
ストッパー２５は、ロールペーパー２７の切断時に傾動板２２と協同して、ロールペーパー２７の引出しを停止させるものであるが、クッション材２６を備えることで、ロールペーパー２７の滑りを防止して上記機能をより効果的に発揮させることができる。なお、ストッパー２５の機能の詳細についても後述する。
【００２６】
さらに、実施例１に係るロールペーパーホルダ１Ａでは、アームロッド１３を弾性体１４で付勢している際に、アームロッド１３を略水平に維持しておくために、側板６ａ上のアームロッド１３の軌道上に制動ピン１５を突設してもよい（図１を参照）。この制動ピン１５を設けておくことで、アームロッド１３に押下げアーム１６が作用しない状態において、アームロッド１３の時計回りと反対向きの回動が妨げられて、連結部１７を介して第２の軸９に動力が伝達されるのを抑制することができる。そして、この結果、ペーパー保定用ローラ１０と第２のローラ２４により、ロールペーパー２７の引出し時にロールペーパー２７にたるみが生じない程度に挟持しつつ、円滑なロールペーパー２７の引出しを妨げない程度に、ロールペーパー２７を保持することができる。
【００２７】
続いて、図３乃至５を参照しながら、実施例１に係るロールペーパーホルダ１Ａによりロールペーパー２７を切断する手順について詳細に説明する。
図４，５はいずれも本発明の実施例１に係るロールペーパーホルダの作動の様子を示す断面図である。なお、図１乃至図３に記載されたものと同一部分については同一符号を付し、その構成についての説明は省略する。
図３に示すように、ロールペーパー２７を引き出す前の状態においては、自重により鉛直下方向に垂下したペーパー切断機構８の傾動板２２の下端部２２ｂからロールペーパー２７の端部が少し飛び出た状態で容器部２から導出されており、摘み代２８が形成された状態になっている（ステップＳ１０）。
【００２８】
そして、先のステップＳ１０の状態から、使用者がこの摘み代２８を指先で摘まんでロールペーパー２７を鉛直斜め下方向側に引き出すと、図４に示すように、傾動板２２がロールペーパー２７の上面により押し上げられて第１の枢軸２０を基軸に傾動し、さらに、傾動板２２が押し上げられることで支持板１９も押し上げられる（第１の軸７を基軸にはね上げられる）（ステップＳ１１）。
このステップＳ１１において、ロールペーパー導出部２３から導出されるロールペーパー２７には、ペーパー保定用ローラ１０及び第２のローラ２４との接触に加えて、傾動板２２との接触によっても負荷が加えられるので、ロールペーパー２７を勢い余って必要以上に引出してしまう恐れがなく、必要量だけ無駄なく引き出すことができる。
【００２９】
このステップＳ１１の後、ロールペーパー２７を切断するには、図４に示す状態から、図５に示すように、鉛直斜め下方向に引いていたロールペーパー２７の引出し片を、今度は、鉛直上方に引き上げることで、傾動板２２が第１の枢軸２０を基軸に下端部２２ｂが跳ね上がるように傾動し、この動作に伴って、傾動板２２の上端部２２ａがストッパー２５に係止されて、引出し中のロールペーパー２７片がストッパー２５と傾動板２２の上端部２２ａとの間で挟持されて、ロールペーパー２７の引出しが一旦停止される（ステップＳ１２）。
このステップＳ１２において、傾動板２２の傾動に伴って、それに接続される支持板１９も第１の軸７を基軸に傾動し、この第１の軸７の回動に伴って、第１の軸７の側板６ａ側の端部に固設される押下げアーム１６が傾動してアームロッド１３上に形成される凹部１３ｃに押下げアーム１６の先端が一時的に嵌合して、支持板１９の傾動が妨げられる。これにより、ロールペーパー２７を引き上げる力は、傾動板２２の傾動にのみ用いられることになり、この結果、傾動板２２の上端部２２ａをストッパー２５に確実に係止させることができる。
【００３０】
さらに、先のステップＳ１２の後に、図５に示す状態からロールペーパー２７の引出し片を、傾動板２２の後方容器部２ｂに係止させながら折り返すように鉛直上方に引き上げることで、傾動板２２の下端部２２ｂにおいてロールペーパー２７を切断することができる（ステップＳ１３）。
なお、傾動板２２の下端部２２ｂの容器部２側の角部に細かい鋸歯状の凹凸を設けてロールペーパー２７の切断を容易にしてもよい。
このステップＳ１３においては、図５に示すように、容器部２からロールペーパー導出部２３を経て（第２のローラ２４上を経て）導出されたロールペーパー２７は、前方容器部２ａの外側面に沿ってストッパー２５まで垂下した後、傾動板２２の上端部２２ａにおいて方向転換して傾動板２２の前方容器部２ａ側に配置される面を経て傾動板２２の下端部２２ｂに到達し、この下端部２２ｂの角部において切断されることになる。
【００３１】
そして、ロールペーパー導出部２３（第２のローラ２４上）からストッパー２５及び傾動板２２の上端部２２ａを経由して、傾動板２２の下端部２２ｂまでの道のりは、先の図３に示すような、自重によりペーパー切断機構８が垂下した状態における、ロールペーパー導出部２３（第２のローラ２４上）から傾動板２２の下端部２２ｂまでの道のりよりも長いので、切断後に自重で垂下したロールペーパー２７の切断端には必ず摘み代２８が形成されることになる。
【００３２】
このように、実施例１に係るロールペーパーホルダ１Ａによれば、容器部２とストッパー２５とペーパー切断機構８の構成の組み合わせにより、ロールペーパー２７を切断する度にその切断端に摘み代２８を形成することができるので、次に使う人がロールペーパー２７の切断端を探すために、ロールペーパー２７に触れる必要がなくて便利な上、ロールペーパー２７を衛生的に保つことができる。
また、実施例１に係るロールペーパーホルダ１Ａによれば、片手でロールペーパー２７の引出し片を切断することができて便利である。
【００３３】
次に、図６乃至１０を参照しながら、ロールペーパーホルダ１Ａの容器部２を開いてロールペーパー２７をセットする手順について説明する。
図６乃至１０はいずれも本発明の実施例１に係るロールペーパーホルダの作動の様子を示す断面図である。なお、図１乃至図５に記載されたものと同一部分については同一符号を付し、その構成についての説明は省略する。
図６は、容器部２内にロールペーパー２７が収容されていない状態を示す断面図である。この状態において容器部２は閉じている（ステップＳ２０）。
このステップＳ２０の状態から、容器部２を開けるには、まず、図７に示すように、ペーパー切断機構８の支持板１９を第１の軸７を基軸に,その下端部を跳ね上げるように傾動させて、第１の軸７に設けられる押下げアーム１６の端部を（移動ローラ１６ａを）アームロッド１３に形成される凹部１３ｃに接触させる（一時的に嵌合させる）（ステップＳ２１）。
【００３４】
そして、図７に示すステップＳ２１の状態から、さらに鉛直上方側に支持板１９を傾動させると、図８に示すように、アームロッド１３の凹部１３ｃに接触した（一時的に嵌合されていた）押下げアーム１６が弾性体１４の弾性力に抗ってアームロッド１３の他の端部１３ｂを押下げる。
この動作により、図８に示すように、アームロッド１３と第２の軸９とをつなぐ連結部１７が伸長し、動力伝達板１７ｂの傾動に伴って、第２の軸９が回動し、第２の軸９に固設される係止具１１が第２の軸９を基軸に，ロールペーパー導出部２３側の鉛直上方に跳ね上がる。
この結果、前方容器部２ａの上端に形成される係止爪１８と，係止具１１に一体に設けられる係止アーム１１ａとの係止状態が解除され（ステップＳ２２）、図９に示すように、前方容器部２ａが自重により第２の枢軸４を基軸に傾動して、容器部２が開いた状態となる（ステップＳ２３）。
【００３５】
そして、図９に示す状態になった後、容器部２の中空部３にロールペーパー２７をセットすればよい。より具体的には、図１０に示すように、後方容器部２ｂの中空部３にロールペーパー２７の本体部分を収容し、ロールペーパー２７本体から延びる引出し片を後方容器部２ｂの底面側に配しながら前方容器部２ａのロールペーパー導出部２３（第２のローラ２４）に引っ掛けてその端部を鉛直下側に垂下させる（ステップＳ２４）。
なお、このステップＳ２４の状態から、先のステップＳ２１までの動作を順番に後戻りすることで、先の図３に示す状態にすることができる。
【００３６】
このような実施例１に係るロールペーパーホルダ１Ａによれば、前方容器部２ａと係止具１１とアームロッド１３及び押下げアーム１６を備えたペーパー切断機構８からなる容器部２の開閉機構を備えることで、ロールペーパーホルダ１Ａへのロールペーパー２７のセットを容易にすることができる。
すなわち、従来技術（特許文献１，２）の場合のように、人が目視できない場所や、狭い場所にロールペーパー２７の引出し片を挿通させる必要がないので、体の不自由な人や高齢者であっても容易にかつ迅速にロールペーパーホルダ１Ａにロールペーパー２７をセットすることができる。
【実施例２】
【００３７】
本発明の実施例２に係るロールペーパーホルダについて図１１を参照しながら詳細に説明する。
図１１は、本発明の実施例２に係るロールペーパーホルダの概念図である。なお、図１乃至図１０に記載されたものと同一部分については同一符号を付し、その構成についての説明は省略する。
実施例２に係るロールペーパーホルダ１Ｂは、実施例１に係るロールペーパーホルダ１Ａの前方容器部２ａと後方容器部２ｂを一体とした容器部２と、ペーパー切断機構８とからなるシンプルな形態のロールペーパーホルダである。
より具体的には、実施例２に係るロールペーパーホルダ１Ｂは、中空部３を有する箱状の容器部２の上部開口２９に、ロールペーパー導出部２３を備え、このロールペーパー導出部２３を覆うように第１の軸３０に軸支されるペーパー切断機構８を備えるものである。
また、先の実施例１においてペーパー切断機構８を支持する第１の軸７は、側板６ａ，６ｂにより支持していたが（図１を参照）、実施例２に係るロールペーパーホルダ１Ｂは、側板を備えないので、例えば、図１１に示すように、ペーパー切断機構８を支持する第１の軸３０を、容器部２の上部開口２９を被覆する蓋部３１の端部に傾動可能に取り付けてもよい。この場合、蓋部３１の第１の軸３０が設けられない側の端部は、第３の枢軸３３を介して（ヒンジ３２により），容器部２のロールペーパー導出部２３に対向する面に傾動可能に取り付けられている。
【００３８】
上述のような、実施例２に係るロールペーパーホルダ１Ｂへのロールペーパーのセットは、ペーパー切断機構８が接続された蓋部３１を第３の枢軸３３を基軸に鉛直上方に跳ね上げるように傾動させて、蓋部３１を開け、容器部２の中空部３内にロールペーパー２７の本体部を収容するとともに，ロールペーパー２７の引出し片を容器部２の底部側に配しながら、ロールペーパー導出部２３（第２のローラ２４）を介して容器部２の外に垂下させた後、第３の枢軸３３を基軸に蓋部３１を逆傾動させて容器部２の上部開口２９に覆設すればよい。
なお、実施例２に係るロールペーパーホルダ１Ｂにおいてロールペーパーの引出し片が切断される手順については、実施例１の場合と同じであるため、ここではその詳細な説明については省略する。
【００３９】
このような実施例２に係るロールペーパーホルダ１Ｂによれば、片手によるロールペーパーの導出片の切断が可能になる。また、ロールペーパーを切断した際に、容器部２側に復帰した傾動板２２の下端部２２ｂからロールペーパーの端部を導出させて、次回に使用する際の摘まみ代を形成させることができる。
この場合、ロールペーパーの引出しを容易にするとともに、ロールペーパーの端部を探すためにロールペーパー本体に直接手で触れる必要がないので、ロールペーパーを衛生的に保つことができる。さらに、容器部２へのロールペーパー２７のセットも容易である。
【００４０】
また、実施例２に係るロールペーパーホルダ１Ｂにおいては、第１の軸３０の少なくとも一方の端部にその外周面上に突出させた、実施例１と同様の形態の押下げアーム１６を設け、さらに、押下げアーム１６が配置される側の容器部２の側面に、第１の軸３０の回動に伴って傾動する押下げアーム１６の動きを停止させるためのストッパーとなる止め具３５を設けてもよい。
この場合、ロールペーパーの引出し片の切断時に、ペーパー切断機構８の支持板１９が傾動すると、それに伴う第１の軸３０の回動に伴って押下げアーム１６も傾動する。そして、この押下げアーム１６が止め具３５に当たって、その動きが妨げられ、これにより支持板１９の傾動が停止される。この結果、実施例１の場合と同様に、ロールペーパーの引出し片を鉛直上方に引き上げることによって生じる力は、傾動板２２を傾動させるためのみに用いられることになるので、ストッパー２５と傾動板２２とによるロールペーパーの挟持を容易かつ確実にすることができる。
なお、先の実施例１における押下げアーム１６は、アームロッド１３の押し下げにも用いられるので、この部材の名称を「押下げアーム」としているが、実施例２に係る押下げアーム１６は、実施例１に係る押下げアーム１６と同様の形態ではあるものの、その目的はもっぱら第１の軸３０に固設される支持板１９が必要以上に傾動するのを妨げて，傾動板２２の傾動をスムースにするためである。従って、実施例２に係る押下げアーム１６の第１の軸３０に接続されない側の端部に移動用ローラを設ける必要は特にない。
【産業上の利用可能性】
【００４１】
以上説明したように、本発明は、ロールペーパーを切断した後に、確実にロールペーパーの端部に摘み代を形成させることができるロールペーパーホルダに関するものであり、サニタリー用品及びキッチン用品、あるいは、ロール状のペーパーを使用する分野において利用可能である。
【符号の説明】
【００４２】
１Ａ，１Ｂ…ロールペーパーホルダ  ２…容器部  ２ａ…前方容器部  ２ｂ…後方容器部  ３…中空部  ４…第２の枢軸  ５…ヒンジ  ６ａ，６ｂ…側板  ７…第１の軸  ８…ペーペー切断機構  ９…第２の軸  １０…ペーパー保定用ローラ  １１…係止具  １１ａ…係止アーム  １２…回動軸  １３…アームロッド  １３ａ…一の端部  １３ｂ…他の端部  １３ｃ…凹部  １４…弾性体  １５…制動ピン  １６…押下げアーム  １６ａ…移動ローラ  １７…連結部  １７ａ…動力伝達板  １７ｂ…動力伝達板  １７ｃ…連結ピン  １７ｄ…連結ピン  １８…係止爪  １９…支持板  ２０…第１の枢軸  ２１…ヒンジ  ２２…傾動板  ２２ａ…上端部  ２２ｂ…下端部  ２３…ロールペーパー導出部  ２４…第２のローラ  ２５…ストッパー  ２６…クッション材  ２７…ロールペーパー  ２８…摘み代  ２９…上部開口  ３０…第１の軸  ３１…蓋部  ３２…ヒンジ  ３３…第３の枢軸  ３４…掛止部  ３５…止め具
【要約】      （修正有）【課題】ロールペーパーを切断した後に、確実にロールペーパーの端部に摘み代を形成させることができるロールペーパーホルダを提供する。【解決手段】ロールペーパー２７を収容する容器部２と、容器部２のロールペーパー導出部近傍に，このロールペーパー導出部を覆うように第１の軸７に軸支されるペーパー切断機構８とを有し、ペーパー切断機構８は、第１の軸７に傾動可能に枢設される支持板１９と、この支持板１９の下端部に第１の枢軸２０を介し，容器部２側に一部重複する部分を備えて傾動可能に支持板１９に連結される傾動板２２とを備え、容器部２は、ロールペーパー導出部の下方近傍に，傾動板２２の上端部２２ａを掛止可能に形成されるストッパー２５を備え、ロールペーパー２７は、容器部２のロールペーパー導出部を経て，容器部２の外側面とペーパー切断機構８の間を通過するように導出されるロールペーパーホルダ１Ａとした。【選択図】図１【図１】
0004768884.tif 000002
【図２】
0004768884.tif 000003
【図３】
0004768884.tif 000004
【図４】
0004768884.tif 000005
【図５】
0004768884.tif 000006
【図６】
0004768884.tif 000007
【図７】
0004768884.tif 000008
【図８】
0004768884.tif 000009
【図９】
0004768884.tif 000010
【図１０】
0004768884.tif 000011
【図１１】
0004768884.tif 000012